(57)【要約】【課題】病状を正確に把握でき、かつ、表示画面を有効活用できる携帯端末を提供する。【解決手段】表示制御部は、携帯端末が回転されると、この回転に合わせて、表示中の医療画像を、縮尺を変更せずに回転させる。また、回転後の医療画像の幅が回転後のディスプレイの幅よりも広い場合、及び、回転後の医療画像の高さが回転後のディスプレイの高さよりも高い場合、回転後のディスプレイ収まるように、回転後の医療画像の端部をカットする。さらに、回転後の医療画像の幅が回転後のディスプレイの幅よりも狭い場合、及び、回転後の医療画像の高さが回転後のディスプレイの高さよりも低い場合、回転後のディスプレイの所定の角へ寄せるように、回転後の医療画像をスライドさせる。そして、これら回転とスライドによって発生したブランク領域に関連情報を表示する。【選択図】図５
2014178458.tif 000002
【特許請求の範囲】
【請求項１】
縦横の長さが異なる長方形状の表示画面を有し、前記表示画面が縦長になる縦姿勢及び前記表示画面が横長になる横姿勢の２つの姿勢で医療画像を表示する携帯型医療画像表示装置において、
前記縦姿勢、前記横姿勢のいずれであるかを検知する姿勢検知センサと、
前記縦姿勢においては縦長の前記表示画面の上部に医療画像の上部が位置し、前記横姿勢においては横長の前記表示画面の上部に医療画像の上部が位置するように、前記姿勢検知センサによって検知された姿勢に合わせて、表示中の医療画像を前記表示画面に対して回転させる表示制御手段と、を備え、
前記表示制御手段は、
前記回転の際に医療画像の縮尺を維持するとともに、前記回転により前記表示画面に医療画像が表示されないブランク領域が生じた際に、前記表示画面に表示中の医療画像に関連する関連情報を、前記ブランク領域に表示することを特徴とする携帯型医療画像表示装置。
【請求項２】
前記表示制御手段は、
前記回転により、医療画像の端部が前記表示画面からはみ出す場合、前記端部を切り取った医療画像を前記表示画面に表示することを特徴とする請求項１記載の携帯型医療画像表示装置。
【請求項３】
前記表示制御手段は、
前記縦姿勢で医療画像の全体が表示されるように医療画像をリサイズし、
前記縦姿勢の場合は、前記リサイズ後の医療画像を表示し、
前記横姿勢の場合は、前記リサイズ後の医療画像の上部または下部の少なくとも一方を切り取った切り取り画像を生成し、この切り取り画像を前記回転後の前記表示画面に表示することを特徴とする請求項１または２記載の携帯型医療画像表示装置。
【請求項４】
前記表示制御手段は、
前記関連情報として、表示中の医療画像に付帯された付帯情報を表示することを特徴とする請求項１〜３いずれか１項記載の携帯型医療画像表示装置。
【請求項５】
前記表示制御手段は、
医療画像の一部の領域のみが前記表示画面に表示されている場合、前記関連情報として、前記領域の位置及び大きさを示す指標であるローカライザを表示することを特徴とする請求項１〜４いずれか１項記載の携帯型医療画像表示装置。
【請求項６】
前記表示制御手段は、
前記関連情報として、表示中の医療画像に関連する医療画像を縮小してサムネイル表示することを特徴とする請求項１〜５いずれか１項記載の携帯型医療画像表示装置。
【請求項７】
前記表示制御手段は、
前記関連情報として、表示中の医療画像に関連する情報が記憶されたリンク先へアクセスするためのリンクタグを表示することを特徴とする請求項１〜６いずれか１項記載の携帯型医療画像表示装置。
【請求項８】
医療画像には、注目すべき注目領域が設定されており、
前記表示制御手段は、
医療画像を表示する表示領域の中心に、前記注目領域が位置するように医療画像を表示することを特徴とする請求項１〜７いずれか１項記載の携帯型医療画像表示装置。
【請求項９】
前記注目領域を設定するための操作手段を備え、前記操作手段の操作に基づいて、前記注目領域が設定されることを特徴とする請求項８記載の携帯型医療画像表示装置。
【請求項１０】
医療画像を解析する画像解析手段を備え、前記画像解析手段の解析結果に基づいて、前記注目領域が設定されることを特徴とする請求項９記載の携帯型医療画像表示装置。
【請求項１１】
前記表示制御手段は、
前記姿勢検知センサにより検知された姿勢に合わせて縮尺を維持したまま表示中の医療画像を前記表示画面に対して回転させるとともに、前記回転により生じたブランク領域に、前記関連情報を表示する第１動作モードと、
前記姿勢検知センサにより検知された姿勢に合わせて表示中の医療画像を前記表示画面に対して回転させるとともに、この回転後の前記表示画面の縦横比に合わせて表示中の医療画像を拡大または縮小させ、回転後の前記表示画面に表示可能な最大サイズで医療画像を表示する第２動作モードとのいずれかで作動されることを特徴とする請求項１〜１０いずれか１項記載の携帯型医療画像表示装置。
【発明の詳細な説明】
【技術分野】
【０００１】
本発明は、携帯型医療画像表示装置に関するものである。
【背景技術】
【０００２】
縦横の長さが異なる長方形状の表示画面を有し、表示画面が縦長になる縦姿勢及び表示画面が横長になる横姿勢の２つの姿勢で医療画像を表示する医療画像表示装置が広く知られている（下記特許文献１参照）。
【０００３】
下記特許文献１では、被検体内部を超音波でスキャンするスキャン部と、スキャン部の出力に基づいて発生された超音波画像に各種情報を重ねることにより表示画像を生成する表示画像生成部と、表示画像を表示する表示画面を縦横回転可能に設ける画像表示部と、を備えた超音波診断装置において、表示画面の縦横回転を検出して、スキャン条件と表示条件との少なくとも一方を変更する制御部を設けている。
【０００４】
そして、下記特許文献１には、制御部が行う表示制御の具体例として、表示画面が回転しても表示されている画像の向きが変化しないように、表示画面を回転に合わせて表示画像を回転させるとともに、表示画面が縦長であるか横長であるかといった表示画面の向き（姿勢）に応じて、表示画面内で最大のサイズとなるように表示画像を拡大または縮小する例が記載されている。また、下記特許文献１には、画像表示部が手持ちのディスプレイである例が記載されている。
【先行技術文献】
【特許文献】
【０００５】
【特許文献１】特開２０１１−２５４９６２号公報
【発明の概要】
【発明が解決しようとする課題】
【０００６】
しかしながら、上記特許文献１記載の装置のように、表示画面の姿勢に応じて表示する画像の縮尺を変更してしまうと、病変部などの表示上（見た目）のサイズが変化してしまい、病状を正確に把握できないといった問題があった。
【０００７】
また、一般に表示画面の縦横比は１でなないので、表示画面を回転させると画面の縦横比が変化する。このため、表示画像の縮尺を変更せずに、表示画面の回転に応じて表示する画像を回転させる場合、回転後の表示画面全域に画像を表示することができない。すなわち、画像の表示されないブランク領域が生じてしまい、表示画面を有効活用できないといった問題があった。
【０００８】
本発明は、上記背景を鑑みてなされたものであり、表示画面の回転に応じて画像を回転させても、病状を正確に把握でき、かつ、表示画面を有効活用できる携帯型医療画像表示装置を提供することを目的としている。
【課題を解決するための手段】
【０００９】
上記目的を達成するために、本発明の携帯型医療画像表示装置は、縦横の長さが異なる長方形状の表示画面を有し、表示画面が縦長になる縦姿勢及び表示画面が横長になる横姿勢の２つの姿勢で医療画像を表示する携帯型医療画像表示装置において、縦姿勢、横姿勢のいずれであるかを検知する姿勢検知センサと、縦姿勢においては縦長の表示画面の上部に医療画像の上部が位置し、横姿勢においては横長の表示画面の上部に医療画像の上部が位置するように、姿勢検知センサによって検知された姿勢に合わせて、表示中の医療画像を表示画面に対して回転させる表示制御手段と、を備え、表示制御手段は、回転の際に医療画像の縮尺を維持するとともに、回転により表示画面に医療画像が表示されないブランク領域が生じた際に、表示画面に表示中の医療画像に関連する関連情報を、ブランク領域に表示するものである。
【００１０】
表示制御手段は、回転により、医療画像の端部が表示画面からはみ出す場合、端部を切り取った医療画像を表示画面に表示するものでもよい。
【００１１】
表示制御手段は、縦姿勢で医療画像の全体が表示されるように医療画像をリサイズし、縦姿勢の場合は、リサイズ後の医療画像を表示し、横姿勢の場合は、リサイズ後の医療画像の上部または下部の少なくとも一方を切り取った切り取り画像を生成し、この切り取り画像を回転後の表示画面に表示するものでもよい。
【００１２】
表示制御手段は、関連情報として、表示中の医療画像に付帯された付帯情報を表示するものでもよい。
【００１３】
表示制御手段は、医療画像の一部の領域のみが表示画面に表示されている場合、関連情報として、領域の位置及び大きさを示す指標であるローカライザを表示するものでもよい。
【００１４】
表示制御手段は、関連情報として、表示中の医療画像に関連する医療画像を縮小してサムネイル表示するものでもよい。
【００１５】
表示制御手段は、関連情報として、表示中の医療画像に関連する情報が記憶されたリンク先へアクセスするためのリンクタグを表示するものでもよい。
【００１６】
医療画像には、注目すべき注目領域が設定されており、表示制御手段は、医療画像を表示する表示領域の中心に、注目領域が位置するように医療画像を表示するものでもよい。
【００１７】
注目領域を設定するための操作手段を備え、操作手段の操作に基づいて、注目領域が設定されるものでもよい。
【００１８】
医療画像を解析する画像解析手段を備え、画像解析手段の解析結果に基づいて、注目領域が設定されるものでもよい。
【００１９】
表示制御手段は、姿勢検知センサにより検知された姿勢に合わせて縮尺を維持したまま表示中の医療画像を表示画面に対して回転させるとともに、回転により生じたブランク領域に、関連情報を表示する第１動作モードと、姿勢検知センサにより検知された姿勢に合わせて表示中の医療画像を表示画面に対して回転させるとともに、この回転後の表示画面の縦横比に合わせて表示中の医療画像を拡大または縮小させ、回転後の表示画面に表示可能な最大サイズで医療画像を表示する第２動作モードとのいずれかで作動されるものでもよい。
【発明の効果】
【００２０】
本発明は、表示画面の姿勢に合わせて、縮尺を維持したまま表示中の医療画像を回転させるとともに、回転により表示画面に医療画像が表示されないブランク領域が生じた際に、表示画面に表示中の医療画像に関連する関連情報を、ブランク領域に表示するようにした。このため、本発明によれば、表示画面の回転に応じて画像を回転させても、病状を正確に把握でき、かつ、表示画面を有効活用できる。
【図面の簡単な説明】
【００２１】
【図１】医療補助システムの概略を示す構成図である。
【図２】携帯端末の概略を示すブロック図である。
【図３】携帯端末のＣＰＵの機能説明図である。
【図４】医療画像が表示される手順を示すフローチャートである。
【図５】医療画像の表示後に携帯端末が回転された際の表示制御を示すフローチャートである。
【図６】携帯端末の姿勢とディスプレイの表示状態との関係を示す説明図である。
【図７】医療画像が表示される手順を示すフローチャートである。
【図８】携帯端末の姿勢とディスプレイの表示状態との関係を示す説明図である。
【発明を実施するための形態】
【００２２】
図１に示すように、医療補助システム１０は、本発明の携帯端末（携帯型医療画像表示装置）１２を含んで構成される。携帯端末１２は、例えば、インターネットやＬＡＮなどの通信ネットワーク１４を介して画像サーバ１６と接続されている。画像サーバ１６は、例えば、病院などの診療施設で検査に伴って撮影された医療画像を記憶しており、携帯端末１２からの配信要求に応答して、医療画像を携帯端末１２に対して配信する。
【００２３】
携帯端末１２は、画像サーバ１６に対して医療画像の配信要求を送信するとともに、この配信要求に応答して画像サーバ１６から配信された医療画像をディスプレイ（表示画面）１８に表示する。ディスプレイ１８は、縦横の長さが異なる長方形状に形成されている。携帯端末１２は、ディスプレイ１８が縦長となる縦姿勢と、ディスプレイ１８が横長となる横姿勢との２つの姿勢で使用され、縦姿勢と横姿勢との各姿勢で医療画像をディスプレイ１８に表示する。
【００２４】
図２に示すように、携帯端末１２は、タブレット型のコンピュータや、ノート型のコンピュータなど、携帯型のコンピュータをベースに、オペレーティングシステムなどの制御プログラムや、コンピュータを携帯型医療画像表示装置として機能させるためのアプリケーションプログラム（ＡＰ）２０をインストールすることによって構成される。
【００２５】
携帯端末１２は、前述したディスプレイ１８の他、操作部２２、姿勢検知センサ２４、ストレージデバイス２６、メモリ２８、ＣＰＵ３０、通信Ｉ／Ｆ３２を備え、これらがデータバス３４を介して接続されている。操作部２２は、例えば、各種操作ボタンや、ディスプレイ１８と一体のタッチパネル式のセンサなどからなり、ユーザーが携帯端末１２に対して入力した入力操作を検出する。姿勢検知センサ２４は、例えば、ジャイロセンサや、地磁気を検知する磁気センサなどからなり、携帯端末１２の姿勢が、前述した縦姿勢、横姿勢のいずれであるかを検知する。
【００２６】
ストレージデバイス２６は、例えば、ＳＳＤやハードディスクからなり、制御プログラムが記憶されている。メモリ２８は、ＣＰＵ３０が処理を実行するためのワークメモリである。ＣＰＵ３０は、制御プログラムをメモリ２８にロードして制御プログラムに従った処理を実行することにより、コンピュータの各部を統括的に制御する。通信Ｉ／Ｆ３２は、通信ネットワーク１４との間で伝送制御を行うネットワークインターフェイスを備えており、携帯端末１２は、通信Ｉ／Ｆ３２を介して画像サーバ１６と通信する。
【００２７】
また、ストレージデバイス２６には、ＡＰ２０として、医療画像表示処理ソフトウェアが記憶されている。医療画像表示処理ソフトウェアは、画像サーバ１６に対して医療画像の配信要求を送信する機能と、配信要求に基づいて画像サーバ１６から配信された医療画像をディスプレイ１８に表示させる機能とをコンピュータに実行させるためのプログラムである。ＣＰＵ３０は、医療画像表示処理ソフトウェアをメモリ２８にロードし、医療画像表示処理ソフトウェアに従った処理を実行することにより、コンピュータの各部を統括的に制御する。
【００２８】
図３に示すように、医療画像表示処理ソフトウェアが起動すると、ＣＰＵ３０はメモリ２８と協働して、医療画像選択部４０、配信要求送信部４２、医療画像受信部４４、表示制御部（表示制御手段）４６として機能する。
【００２９】
医療画像選択部４０は、医療画像表示処理ソフトウェアの起動に伴って作動する。そして、画像サーバ１６にアクセスして画像サーバ１６に記憶された医療画像の一覧を取得し、取得した医療画像の一覧をディスプレイ１８に表示させる。ユーザーは、操作部２２を操作し、ディスプレイ１８に表示された医療画像の一覧の中から配信を希望する医療画像を選択できる。
【００３０】
配信を希望する医療画像が選択されると、配信要求送信部４２が作動し、この画像の配信要求を画像サーバ１６に対して送信する。画像サーバ１６は、この配信要求を受け付け、配信要求された医療画像を携帯端末１２に対して配信する。そして、画像サーバ１６から配信された医療画像は、医療画像受信部４４によって受信される。
【００３１】
図４に示すように、表示制御部４６は、医療画像受信部４４が医療画像を受信すると、姿勢検知センサ２４から得られる携帯端末１２の姿勢情報に基づき、携帯端末１２が縦姿勢であるか横姿勢であるかを判定（現在のディスプレイ１８が縦長であるか横長であるかを判定）する。そして、現在のディスプレイ１８への表示に最適なサイズとなるように、受信した医療画像を、縦横比を変えずにリサイズ（拡大、縮小）する。最適なサイズとは、現在のディスプレイ１８にリサイズ後の医療画像全体を最も大きなサイズで表示できるサイズである（図６（Ｂ）、（Ｄ）参照）。
【００３２】
医療画像のリサイズを行った後、表示制御部４６は、リサイズ後の医療画像を、ディスプレイ１８の所定位置（例えば、左上）に表示する（図６（Ｂ）、（Ｄ）参照）とともに、ディスプレイ１８にブランク領域（医療画像の表示されていない領域）があるか否かを判定し、ブランク領域が存在する場合は、このブランク領域に関連情報を表示する（図６（Ｄ）参照）。
【００３３】
関連情報は、ディスプレイ１８に表示中の医療画像に関連する情報であり、本実施形態では、関連情報として、表示中の医療画像に付帯された付帯情報（検査名、検査日、患者の氏名、年齢、性別など）を表示する例で説明を行う（図６（Ｄ）参照）。また、本実施形態では、後述する携帯端末１２の回転などに伴って医療画像全体を表示できない場合に、現在表示されている範囲が、医療画像全体のうちのどの範囲であるかを示す指標であるローカライザを表示する例で説明を行う（図６（Ｃ）〜（Ｅ）参照）。
【００３４】
また、図５に示すように、表示制御部４６は、上述のようにリサイズ後の医療画像をディスプレイ１８に表示（図６（Ｂ）、（Ｄ）参照）した後も携帯端末１２の姿勢を監視している。そして、表示制御部４６は、携帯端末１２が縦姿勢から横姿勢または横姿勢から縦姿勢に回転されたことを検知すると、表示中の医療画像を観察するユーザーからは表示中の医療画像が回転していないように観察されるように（すなわち、携帯端末１２が縦姿勢の場合は縦長のディスプレイ１８の上部に医療画像の上部が位置し、携帯端末１２が横姿勢の場合は横長のディスプレイ１８の上部に医療画像の上部が位置するように）、表示中の医療画像をディスプレイ１８に対して回転させる（図６（Ｃ）、（Ｅ）参照）。
【００３５】
表示制御部４６は、この回転の際に、表示中の医療画像の縮尺を変更せずに回転させる。また、回転後の医療画像の横方向のサイズ（幅）が回転後のディスプレイ１８の幅よりも広い場合、及び、回転後の医療画像の縦方向のサイズ（高さ）が回転後のディスプレイ１８の高さよりも高い場合、回転後のディスプレイ１８収まるように、回転後の医療画像の端部をカットする（図６（Ｃ）参照）。さらに、回転後の医療画像の幅が回転後のディスプレイ１８の幅よりも狭い場合、及び、回転後の医療画像の高さが回転後のディスプレイ１８の高さよりも低い場合、回転後のディスプレイ１８の所定の角（例えば、左上）へ寄せるように、回転後の医療画像をスライドさせる（図６（Ｅ）参照）。このように医療画像を回転させた後、表示制御部４６は、この回転に伴って発生したブランク領域に関連情報を表示する（図６（Ｃ）、（Ｅ）参照）。
【００３６】
表示制御部４６は、上述のように携帯端末１２が１回目に回転された後も、携帯端末１２の姿勢を監視している。そして、携帯端末１２が２回目に回転された場合、すなわち、携帯端末１２の姿勢が初期状態（配信された医療画像をリサイズしてディスプレイ１８に表示した状態）に戻された場合、ディスプレイ１８の状態も初期状態に戻す（図６（Ｂ）、（Ｄ）参照）。以下同様に、携帯端末１２の回転が奇数回目である場合は、ディスプレイ１８の状態を携帯端末１２が１回目に回転された状態とし（図６（Ｃ）、（Ｅ）参照）、携帯端末１２の回転が偶数回目である場合は、ディスプレイ１８の状態を初期状態に戻す（図６（Ｂ）、（Ｄ）参照）。
【００３７】
以下、図６を用いて上記構成による本発明の作用について説明を行う。なお、図６では、画像サーバ１６から配信された医療画像の縦横比が、縦姿勢の携帯端末１２のディスプレイ１８の縦横比と等しい例で説明を行う。
【００３８】
図６（Ａ）に示すように、画像サーバ１６から医療画像が配信されると、携帯端末１２の姿勢が検出される。そして、携帯端末１２が縦姿勢の場合、同図（Ｂ）に示すように、配信された医療画像が縦向きのディスプレイ１８と同じサイズにリサイズされて、ディスプレイ１８の表示領域全体に表示される。この後、携帯端末１２が横姿勢に回転されると、同図（Ｃ）に示すように、縦向きのディスプレイ１８に表示されていた医療画像が、縮尺を変更せずに回転された後にディスプレイ１８の左側にスライドされるとともに、医療画像の右側のブランク領域に関連情報が表示される。この状態からさらに携帯端末１２が縦姿勢に回転されると、最初の表示状態（同図（Ｂ）の表示状態）に戻る。
【００３９】
他方、医療画像が配信された際に携帯端末１２が横姿勢の場合、図６（Ｄ）に示すように、高さがディスプレイ１８と等しくなるように、配信された医療画像がリサイズされ、ディスプレイ１８の左側に表示されるとともに、医療画像の右側のブランク領域に関連情報が表示される。この後、携帯端末１２が縦姿勢に回転されると、同図（Ｅ）に示すように、横向きのディスプレイ１８に表示されていた医療画像が、縮尺を変更せずに回転された後にディスプレイ１８の左上にスライドされるとともに、医療画像の右側及び下側のブランク領域に関連情報が表示される。この状態からさらに携帯端末１２が横姿勢に回転されると、最初の表示状態（同図（Ｄ）の表示状態）に戻る。
【００４０】
以上のように、携帯端末１２によれば、携帯端末１２を回転させても、医療画像の縮尺を変更しないようにしたので、携帯端末１２の回転に伴って医療画像の縮尺が変化してしまい、病状を正確に把握できないといった問題を防止できる。また、携帯端末１２によれば、ブランク領域に関連情報を表示するので、表示領域を有効活用できる。
【００４１】
なお、本発明は、携帯端末の姿勢に応じて表示中の医療画像を縮尺を変えずに回転させるとともに、医療画像を表示しないブランク領域に医療画像に関連する関連情報を表示すればよいので、細部の構成は上記実施形態に限定されず適宜変更できる。
【００４２】
例えば、操作部からの操作に基づいて表示中の医療画像を拡大したり縮小したりできるように構成してもよい。なお、この場合、医療画像の拡大、縮小に伴ってブランク領域の形状やサイズも変化するので、ブランク領域の形状やサイズに合わせて、表示する関連情報の種類や数、表示態様なども変更することが好ましい。
【００４３】
また、上記実施形態では、配信された医療画像を最初にディスプレイに表示する際に、携帯端末の姿勢を検出し、検出した携帯端末の姿勢が縦姿勢であれば、縦長のディスプレイに合わせて、配信された医療画像のリサイズを行い（図４、図６（Ｂ）参照）、検出した携帯端末の姿勢が横姿勢であれば、横長のディスプレイに合わせて、配信された医療画像のリサイズを行う（図４、図６（Ｄ）参照）例で説明をしたが、本発明はこれに限定されるものではない。
【００４４】
図７、図８に示すように、配信された医療画像を最初にディスプレイに表示する際に、携帯端末の姿勢によらず、縦長のディスプレイに合わせて、配信された医療画像のリサイズを行ってもよい。なお、図８では、図６の場合と同様に、画像サーバから配信された医療画像の縦横比が、縦姿勢の携帯端末のディスプレイの縦横比と等しい例で説明を行う。
【００４５】
この場合、図８（Ａ）に示す医療画像が配信されると、携帯端末の表示制御部が、同図（Ｂ）に示すように、配信された医療画像を、縦長のディスプレイに合わせてリサイズする。この後、表示制御部は、携帯端末の姿勢を判定し、携帯端末が縦姿勢である場合、同図（Ｃ）に示すように、リサイズ後の医療画像をそのままディスプレイに表示する。他方、携帯端末が横姿勢である場合、同図（Ｄ）に示すように、横長のディスプレイに収まるようにリサイズ後の医療画像の上部と下部との少なくとも一方をカットするとともに、ブランク領域に関連情報を表示する。また、表示制御部は、同図（Ｃ）の表示状態から携帯端末が回転された際には同図（Ｄ）の表示状態とし、同図（Ｄ）の表示状態から携帯端末が回転された際には同図（Ｃ）の表示状態とする。
【００４６】
図７、図８に示す手法で表示制御を行うと、前述した実施形態で説明した場合と比較して、初期状態が横長のディスプレイへの表示であった場合に医療画像の表示サイズを大きくできる（図６（Ｄ）、図８（Ｄ）参照）。また、横長のディスプレイに医療画像を表示した状態から携帯端末を回転した際の医療画像の表示サイズを大きくできる（図６（Ｅ）、図８（Ｃ）参照）。表示された医療画像のサイズが小さいと医療画像を観察し難く、特に、設置型の端末と比較してディスプレイが小型である携帯端末では、このような問題が顕著である。このため、図７、図８に示す手法で表示制御を行うことによって、より医療画像を観察し易くできる。
【００４７】
一方、図７、図８に示す手法で表示制御を行うと、初期状態が横長のディスプレイへの表示であった場合に医療画像全体が表示されない（図８（Ｄ）参照）。しかし、医療画像は、縦長の場合が多く、このことを知る医療従事者（ユーザー）は、縦長の医療画像に合わせて携帯端末を縦姿勢で使用する傾向が高い。すなわち、初期状態は、図８（Ｄ）の状態となる可能性よりも図８（Ｃ）の状態となる可能性が高い。このため、初期状態が横長のディスプレイへの表示であり医療画像全体が表示されないといったことが仮に問題となったとしても、この問題の発生頻度よりも、図７、図８に示す手法で表示制御を行うことによって医療画像の表示サイズを大きくできるといった利点を得られる頻度の方が高い。
【００４８】
また、上記実施形態では、初期状態の表示を行う際に、医療画像の全体が収まるように医療画像をリサイズする例（図７、図８の例では、携帯端末が縦姿勢の場合にのみ医療画像の全体が収まるようにリサイズする例）で説明をしたが、初期状態の表示を行う際に、医療画像をリサイズせずに、ディスプレイからはみ出す部分については切り取って表示してもよい。また、表示する医療画像を観察する際に注目すべき注目領域を予め設定し、設定された注目領域が観察し易いように、医療画像をリサイズ（拡大）し、はみ出す部分については切り取って表示してもよい。
【００４９】
このように、医療画像の全体を表示せずに、医療画像の一部の領域のみを表示して、はみ出す部分をカットする場合、医療画像のどの領域を表示し、どの領域をカットするかについては自由に設定できる。ただし、携帯端末の回転前に表示されていた医療画像の中心と、携帯端末の回転後に表示された医療画像の中心とが異なっていると観察の妨げとなってしまうので、携帯端末の回転後に表示される医療画像については、中心が、携帯端末の回転前に表示されていた医療画像の中心と一致するように、医療画像全体のうちのどの領域を表示するかを決定することが好ましい。
【００５０】
一方、初期状態の表示を行う際（医療画像を最初に表示する際）には、表示される医療画像の中心がいずれの位置であっても、観察の妨げとはならず、むしろ、表示される医療画像の中心が、前述した注目領域となっている方が、スムーズな観察を行うことができる。このため、初期状態の表示を行う場合は、注目領域が医療画像の中心に位置するように医療画像全体のうちのどの領域を表示するかを決定することが好ましい。
【００５１】
なお、医療画像に対して注目領域を設定する手法としては、例えば、医療画像を撮影する際に注目領域を指定させ、指定された注目領域に関する情報を撮影済みの医療画像の付帯情報として記憶させる方法が考えられる。この場合、医療画像が配信された際に、携帯端末の表示制御部が、医療画像の付帯情報を参照して注目領域に関する情報を取得し、注目領域が、初期状態で表示される医療画像の中心に位置するように表示制御を行えばよい。
【００５２】
もちろん、撮影時に注目領域を設定する以外にも、携帯端末側で注目領域を設定してもよい。この場合、例えば、配信された医療画像を解析して異常な部位を特定する画像解析部（画像解析手段）を携帯端末に設け、この画像解析部によって特定された部位を注目領域として設定するといった方法が考えられる。また、医療画像表示処理ソフトウェアの起動に伴って、これから実行する診療内容を選択させ、選択された診療内容に基づいて注目領域を設定（例えば、医療画像表示処理ソフトウェアの起動に伴って複数種類の診療内容の一覧をディスプレイに表示し、操作部（操作手段）を操作することによって診療内容を選択できるように構成し、選択された診療内容が心臓病検査である場合は、胸部を注目領域に設定）してもよい。さらに、表示された医療画像に、例えば、タッチ操作を行うことによってユーザーが直接注目領域を設定してもよい。
【００５３】
また、注目領域が、新たな医療画像を表示した際に引き継がれるようにしてもよい。この場合、例えば、胸部が注目領域に設定された医療画像を表示した状態で、新たに配信された医療画像を表示する場合、この新たに表示する医療画像についても胸部を注目領域に設定するといった方法が考えられる。
【００５４】
さらに、複数の医療画像を所定の順番で観察しながら各医療画像のそれぞれについて異なる観点で観察を行う場合など、予め定められた診断フローに従って診断を行う場合は、この診断フローに基づいて、新たに表示する医療画像の注目領域を設定するといった方法も考えられる。この場合、例えば、２枚の頭部ＣＴ画像（医療画像）の１枚目で前頭葉に着目し、２枚目で側頭葉に着目するといった診断フローに従って脳の検査を行う際には、１枚目の医療画像については前頭葉の部分を注目領域に設定し、１枚目の医療画像については側頭葉の部分を注目領域に設定すればよい。
【００５５】
また、上記実施形態では、携帯端末を回転させても表示された医療画像の縮尺が変化しない例で説明をしたが、ユーザーによっては、医療画像の尺度が変化しても、回転後のディスプレイに応じた表示サイズで医療画像が表示されることを好む者もいる。このため、携帯端末を回転させても表示された医療画像の尺度を変えずに医療画像を表示する第１動作モードと、携帯端末を回転させると回転後のディスプレイに合わせて医療画像を拡大または縮小し、回転後のディスプレイに表示可能な最大の表示サイズで医療画像を表示するする第２動作モードとの２種類の動作モードで医療画像表示処理ソフトウェアが動作するように構成し、いずれの動作モードで動作させるかを操作部を操作することによってユーザーに選択させてもよい。
【００５６】
また、上記実施形態では、ブランク領域に表示する関連情報が、医療画像の付帯情報やローカライザである例で説明をしたが、関連情報は、表示されている医療画像に関連した情報であればよいので、付帯情報やローカライザに限定されず、自由に設定できる。例えば、表示されている医療画像に関連する医療画像（現在表示中の医療画像が一連の画像シリーズの中の一枚であった場合に現在表示中の医療画像以外の医療画像や、同一患者の過去の同一の検査で撮影された医療画像や、検査内容は異なるが同一患者の医療画像や、患者は異なるが同一の検査で撮影された医療画像など）を関連情報としてブランク領域に表示してもよい。なお、このように現在表示中の医療画像とは異なる医療画像を関連情報としてブランク領域に表示する場合、関連情報として表示する医療画像を縮小してサムネイル表示する（表示する医療画像を縮小した縮小画像を生成し、この縮小画像を１つ、または、他の医療画像から生成された縮小画像とともに並べて表示する）ことが好ましい。
【００５７】
また、関連情報として実際の医療画像（または、縮小化されてサムネイル表示された医療画像）を表示することに代えて、これらの医療画像の記憶先（リンク先）へアクセスするためのリンクタグを関連情報としてブランク領域に表示し、このリンクタグを選択操作することで、リンクタグに対応付けされた医療画像が新たな医療画像として現在表示中の医療画像に代えて表示されるようにしてもよい。もちろん、実際の医療画像を表示するとともに、この医療画像にリンクタグとしての機能を持たせ、関連情報として表示された医療画像を直接選択させることによって、新たな医療画像が表示されるようにしてもよい。
【００５８】
さらに、リンクタグに対応付けされるのは医療画像に限定されず、例えば、現在表示中の医療画像に関連する情報の参照先（胸部Ｘ線画像が現在表示中の場合に、胸部Ｘ線画像で判別する症例リストや判別方法について記載されたマニュアルのインターネット上の保存先）などをリンクタグに対応付けし、リンクタグを選択することによってこれらの情報がディスプレイに表示されるようにしてもよい。こうすることで、医療画像を用いた診療の効率化が図れる。
【００５９】
なお、上記実施形態で示したとおり、本発明は、プログラムの形態、さらにはプログラムを記憶する記憶媒体にも及ぶことはもちろんである。
【符号の説明】
【００６０】
１０  医療補助システム
１２  携帯端末（携帯型医療画像表示装置）
１８  ディスプレイ（表示画面）
２０  ＡＰ
２２  操作部（操作手段）
２４  姿勢検知センサ
２８  メモリ
３０  ＣＰＵ
４６  表示制御部（表示制御手段）
【図１】
2014178458.tif 000003
【図２】
2014178458.tif 000004
【図３】
2014178458.tif 000005
【図４】
2014178458.tif 000006
【図５】
2014178458.tif 000007
【図７】
2014178458.tif 000008
【図６】
2014178458.tif 000009
【図８】
2014178458.tif 000010